(57)【要約】【課題】従来、または特許文献等に有る孫の手は、鉤部が小さく背中等の痒い部位を突きとめ掻くのに手間取った。また、物品把持部付きの物もあるが、把持部が細く不安定である。また、消炎鎮痛剤等の首を曲げた容器を把持させ使用した場合孫の手本体を持った手からの、力の中心がずれ、また部材の形状により塗布しずらい。この様な問題点解決するための孫の手を提供する。【解決手段】本発明による孫の手は、孫の手本体の一端に湾曲した櫛状の一対の部材を湾曲面を上下に対面させ回動軸により回動自在に支持され常に上下かみ合い交差する方向にバネ付勢された、背中等を掻く時使用する鉤部、痒み止め消炎鎮痛剤等を塗布する時使用する物品把持部とを兼ね備えた物を設け、その鉤部、把持部は孫の手本体との継目部を支点に、左右に角度が調節、固定できる構成とした。【選択図】      図  １
2005288084.tif 000002
【特許請求の範囲】
【請求項１】
孫の手本体の一端に、背中等を掻く時に使用する、鉤部と、痒み止め、消炎鎮痛剤等の容器等、物品を把持することが出来る、把持部とを兼ね備えた、湾曲した櫛状の、上下一対の、かみ合い交差する、鉤部、把持部が設けられ、その鉤部、把持部は、孫の手本体との継目部を支点に、左右に角度が調節、固定できる孫の手。
【発明の詳細な説明】
【技術分野】
【０００１】本発明は、手の届きにくい背中等を、一人で容易に、掻く、またわ、痒み止め、消炎鎮痛剤等を塗布するための、鉤部、物品把持部付きの孫の手（カキカキ−ヌリヌリ）に関する。
【背景技術】
【０００２】従来の孫の手には、孫の手本体の一端に小さな鉤部、一方の一端に肩をたたく時に使用する、突起のついたボール状の物が設けられた物がある（たとえば、特許文献１参照）。また、孫の手本体の一端に物品把持手段付き孫の手（たとえば、特許文献２参照。）また、孫の手本体の一端に小さな鉤部、物品把持手段付き孫の手等もある（たとえば特許文献３参照）また、孫の手本体の一端に、結束バンドにより、薬剤容器を固定する方法の物もある。【０００３】
【特許文献１】  実開昭６３−７７０３６号公報（第２頁、図２）
【特許文献２】  実開平  ６−２６８５２号公報（第３頁、図１）
【特許文献３】  特開平  ８−１４１０２９号公報  （第５頁、図１）
【発明の開示】
【発明が解決しようとする課題】
【０００４】従来の孫の手、または、上記の孫の手は、痒い部位を掻く時に使用する、鉤部が小さく、背中等の痒い部位を、つきとめ、掻くのに手間取った。【０００５】また、背中等に、痒み止め、消炎鎮痛剤等を塗布する場合、上記の、孫の手本体の一端に、結束バンドにより薬剤容器を固定するのは、手間が掛かる。【０００６】また、孫の手本体の一端に、薬剤容器を把持する手段を備えた物もあるが、把持部が細く、不安定である。【０００７】また、上記の孫の手の場合、消炎鎮痛剤等の、首を曲げてある容器を、把持させ使用した場合、孫の手本体の一端を持った手からの、ちからの中心がずれ、また、部材の形状により、塗布しずらい。以上のような問題点があった。
【課題を解決するための手段】
【０００８】本発明による孫の手は、孫の手本体の一端に、湾曲した櫛状の一対の部材を、湾曲面を上下に対面させ、その継目部は、回動軸により、回動可能に枢着し、常に、上下かみ合い交差する方向に、バネ付勢された、背中等を掻く時に使用する鉤部と、痒み止め、消炎鎮痛剤等を塗布する時に使用する、物品把持部とを、兼ね備えた物を設け、その鉤部、把持部は、孫の手本体との継目部を支点に、左右に角度が、調節、固定できる構成とした。
【発明の効果】
【０００９】上記構成により、前記孫の手等に比べ、鉤部の幅が広く、よって背中等の、痒い部位を、素早く突きとめ掻くことができ、また、把持部も兼ねているので、幅が広い分、痒み止め等の容器を、安定して把持することができる。【００１０】また、構造上、把持する物品の色々なサイズに対応でき、また、痒み止め等の容器を安定して把持した状態のまま、鉤部を使用することができる。【００１１】つまり、背中等の、痒い部位を、素早く突きとめ軽く掻いた後、効果的に、痒み止め等を、スム−ズに塗布することができる。【００１２】また、消炎鎮痛剤等の、首を曲げてある容器を、把持させて使用した場合でも、把持部の角度が調節、固定できるので、孫の手本体の一端を持った手からの、ちからの中心がずれないため、安定して薬剤を塗布することができる。
【発明を実施するための最良の形態】
【実施例】
【００１３】本発明を図によって説明する。図１に示すように、本発明による孫の手（以下「孫の手」と記す）は、湾曲した櫛状の部材１，２（以下「部材１」「部材２」と記す）と棒状の孫の手本体（以下「本体」と記す）３と、補強部材４からなる。【００１４】図２に示すように、部材２は、本体３の一端に設けられた回動軸３ａにより左右に、角度調節自在に支持され、蝶ネジ３ｂ等により各角度で固定できる。【００１５】本体３に設けられた、補強部材４は、本体３上をスライドし、平常時には、部材２と本体３との継目部の補強を成し、角度調節を行うときには、スライドさせ、継目部を露出させ、角度調節を行う。【００１６】部材１は、背中等を掻くときに使用する鉤部１ａが設けられ、１ａの先端は、へら状に形成されている。また、部材１は、湾曲面を、部材２の湾曲面と対面させ、部材２に設けられた回動軸２ａにより、回動自在に支持され、部材２と常に上下かみ合い、交差する方向にバネ付勢（図示せず）されている。【００１７】すなわち、部材１に設けられたツマミ１ｂを押すことにより、部材１を回動させ、部材１，２の間を開き、その間に、痒み止め、消炎鎮痛剤等の容器５を挟ませ、ツマミ１ｂを放すと、バネ付勢力により、部材１が回動し、図３に示すように、部材１，２の間に容器５を把持することができる。【００１８】このように、部材１，２の間に痒み止め等の容器５を把持させた状態で、本体３を持ち背中に回せば、誰でも、一人で、容易に、自分の手の届かない背中等の、痒い部位を、素早く突きとめ、軽く掻いた後、効果的に、痒み止め等を塗布することができる。【００１９】さらに、図４で示すように、消炎鎮痛剤等の容器で、容器６のように、首を横に曲げてある物を使用する場合は、前記のように、部材１，２の間に容器６を、把持させた状態で、本体の回動軸３ａを支点に、把持部の角度を調節し、蝶ネジ３ｂ等により、固定することで、本体３を持った手からの、ちからの中心がずれないので、安定して背中等に、薬剤を塗布することができる。【００２０】また、部材２と本体３との継目部は、ラチェット式にしてもよい。
【図面の簡単な説明】
【００２１】
【図１】本発明による孫の手の実施例を示した斜視図である。
【図２】本発明による孫の手の実施例を示した断面図である。
【図３】本発明による孫の手の、薬剤容器を把持させた時の実施例を示した斜視図である。
【図４】本発明による孫の手の、首を横に曲げてある薬剤容器を把持させた時の実施例を示した斜視図である。
【符号の説明】
【００２２】１    湾曲した櫛状の鉤部、把持部が設けられた部材
１ａ  鉤部
１ｂ  ツマミ
２    湾曲した櫛状の把持部、本体との継目部が設けられた部材
２ａ  回動軸
３    孫の手本体
３ａ  回動軸
３ｂ  蝶ネジ
４    補強部材
５    痒み止め等の容器
６    消炎鎮痛剤等の容器
【図１】
2005288084.tif 000003
【図２】
2005288084.tif 000004
【図３】
2005288084.tif 000005
【図４】
2005288084.tif 000006